(57)【要約】【課題】  正弦波状に湾曲した手すりの隣り合う変曲接線の開き角度が１３０度乃至１７０度とされて、手や上腕を手すりに押し付けて身体を押し出すのが容易となるし、手すりを手で掴まえて身体を引き上げるのも容易となる。【解決手段】  ひとつ先のステップの起立した斜山部３ｂ及び斜谷部４ａ並びにこれらの間の変曲部６を握るとき、これら手すり１の方向と、前腕または／及び上腕の方向、手と肩を結ぶ方向とは、ほぼ直交するようになり、手すりを手で掴まえて身体を引き上げるのが容易となる。手すり１を握って身体を押し上げるとき、ほぼ水平な水平山部３ａ及び水平谷部４ｂ並びにこれらの間の変曲部６を手で握って身体を押し上げたり、水平山部３ａ及び水平谷部４ｂ並びにこれらの間の変曲部６に前腕を乗せて身体を押し上げたりするのが容易となる。【選択図】図３
2008231845.tif 000002
【特許請求の範囲】
【請求項１】
ほぼ半周期以上の長さのほぼ正弦曲線形状またはほぼ余弦曲線形状をなす棒体と、
この棒体の正弦曲線形状または余弦曲線形の山部と谷部の間の変曲部であって、
この変曲部複数の変曲接線複数につき、隣り合う変曲接線の開き角度は９０度乃至１７０度、望ましくは１３０度乃至１７０度であり、
この隣り合う変曲接線のいずれか一方がほぼ水平とされ、手すり全体が水平方向に対して斜めに配置されることを特徴とする手すり。
【請求項２】
上記斜めの手すりの半周期の水平方向の長さは、階段または段差のステップの幅のほぼ半分に等しく、
上記斜めの手すりの半周期の高さは、階段または段差のステップの高さのほぼ半分に等しいことを特徴とする請求項１記載の手すり。
【請求項３】
上記手すりのほぼ水平部分の変曲部は、段差または階段のステップの平坦部分のほぼ真上またはほぼ真上から段差または階段の傾斜に沿って若干前上寄りに位置することを特徴とする請求項１または２記載の手すり。
【請求項４】
上記手すりは、複数周期にわたる長さを有し、
階段、段差または傾斜面に沿って設けられている、ほぼ直線状の既設の手すりの上、側、下に対して取り付けられ、
この直線状の既設の手すりの、または本件手すりの、水平方向に対する傾斜は、０度乃至９０度、１０度乃至６０度、２０度乃至５０度、３０度乃至４５度、３５度乃至４２．５度、または４０度前後であることを特徴とする請求項１、２または３記載の手すり。
【請求項５】
上記手すりは、上記山部または上記谷部をほぼ中心として、ほぼ半周期にわたる長さを有し、
階段、段差または傾斜面に沿って設けられている、ほぼ直線状の既設の手すりの上、側、下に対して、間隔を置いて、複数取り付けられ、
この直線状の既設の手すりの水平方向に対する傾斜は、０度乃至９０度、１０度乃至６０度、２０度乃至５０度、３０度乃至４５度、３５度乃至４２．５度、または４０度前後であることを特徴とする請求項１、２、３または４記載の手すり。
【請求項６】
上記手すりは、上記山部または上記谷部をほぼ中心として、ほぼ半周期にわたる長さを有し、
この手すりの両端の先端は、互いに近づくように曲がっていることを特徴とする請求項１、２、３、４または５記載の手すり。
【請求項７】
上記階段、段差または傾斜面から上記手すりまでの高さが高くなると、ほぼ水平方向にならない変曲接線の傾斜角は垂直に近づいて起立し、上記階段、段差または傾斜面から上記手すりまでの高さが低くなると、ほぼ水平方向にならない変曲接線の傾斜角は水平に近づいて傾斜することを特徴とする請求項１、２、３、４、５または６記載の手すり。
【発明の詳細な説明】
【技術分野】
【０００１】
本発明は、階段などに取り付けられる手すりに関する。
【背景技術】
【０００２】
従来、手すりは、階段、段差、傾斜面などに沿って傾斜して設けられている。このような手すりは、階段の側方などにおいて設けられている。この手すりは、側壁に取り付けられたり、階段、段差、傾斜面から立設された支柱の上に固定されたりされており、形状は直線状である。
【０００３】
【特許文献１】特開平８−２０８１６８号公報
【特許文献２】特開平１０−１８３９２８号公報
【特許文献３】特開平１１−３５０６９２号公報
【特許文献４】特願２００５−２４５７７３号（未公開）
【特許文献５】特願２００５−２７４６２７号（未公開）
【発明の開示】
【発明が解決しようとする課題】
【０００４】
このような手すりは、バランスを崩さないようにするために手で掴まえるほか、階段、段差、傾斜面を上るときに、手で掴まって身体を引き上げる補助とすることと、手や上腕を押し付けて身体を押し出す補助とすることとなどに、使われていた。
【０００５】
しかしながら、このような手すりが直線状であると、掴んだ手が滑ることがあり、階段、段差、傾斜面を円滑に上ることに支障があった。また、手すりが伸びる方向と手の腕の伸びる方向とが近くて平行に近いと、手すりを握った手の力が手すりに伝わりにくくなる。すると、上記身体を引き上げる力や、身体を引き上げる力が弱くなってしまっていた。
【課題を解決するための手段】
【０００６】
上記目的を達成するために、本件発明の手すりでは、ほぼ半周期以上の長さのほぼ正弦曲線形状またはほぼ余弦曲線形状をなす棒体と、この棒体の正弦曲線形状または余弦曲線形の山部と谷部の間の変曲部であって、この変曲部複数の変曲接線複数につき、隣り合う変曲接線の開き角度は９０度乃至１７０度、望ましくは１３０度乃至１７０度であり、この隣り合う変曲接線のいずれか一方がほぼ水平とされ、手すり全体が水平方向に対して斜めに配置される。
【０００７】
また、本件発明の手すりでは、上記斜めの手すりの半周期の水平方向の長さは、段差または階段のステップの幅のほぼ半分に等しく、上記斜めの手すりの半周期の高さは、段差または階段のステップの高さのほぼ半分に等しい。
【０００８】
さらに本件発明の手すりでは、上記手すりのほぼ水平部分の変曲部は、段差または階段のステップの平坦部分のほぼ真上またはほぼ真上から段差または階段の傾斜に沿って若干前上寄りに位置する。
【発明の効果】
【０００９】
これにより、手すりのほぼ水平の変曲部に、手や上腕を押し付けて身体を押し出せば、より容易に身体を押し出すことができ、階段、段差、傾斜面をより円滑に上ることができる。また、手すりのほぼ水平の変曲部の別の変曲部に、手で掴まって身体を引き上げれば、より容易に身体を引き上げることができ、階段、段差、傾斜面をより円滑に上ることができる。
【００１０】
隣り合う変曲接線の開き角度は９０度乃至１７０度、望ましくは１３０度乃至１７０度であるが、手すりの位置を老人・成人の腰から胸の辺りの高さにすると、１３０度以上の方が、上記手や上腕を押し付けて身体を押し出すのが容易となるし、手で掴まって身体を引き上げるのも容易となる。
【００１１】
さらに、手すりの半周期の水平方向の長さは、段差または階段のステップの幅のほぼ半分に等しく、上記斜めの手すりの半周期の高さは、段差または階段のステップの高さのほぼ半分に等しければ、段差または階段の各ステップから、手すりのほぼ水平の各変曲部への間隔は、一定となり、また段差または階段の各ステップから、手すりのほぼ水平の変曲部の別の各変曲部への間隔も一定となる。
【００１２】
したがって、手や上腕を手すりに押し付けて身体を押し出す力は、手すりのいずれの箇所でも一定となるし、手で掴まって身体を引き上げる力は、手すりのいずれの箇所でも一定となり、段差または階段を一定の力で上ることができる。
【００１３】
また、手すりのほぼ水平部分の変曲部は、段差または階段のステップの平坦部分のほぼ真上またはほぼ真上から段差または階段の傾斜に沿って若干前上寄りに位置すると、手や上腕を手すりに押し付けて身体を押し出す力が、身体の中央下方から後下方にかけて移動し、身体を押し出す力に無駄がなくなり、階段、段差、傾斜面をより円滑に上ることができる。
【発明を実施するための最良の形態】
【００１４】
（１）手すり１
図１及び図２は手すり１の側面を示す。この図面は手すり１の一部のみを示すのもで、実際には上下に連続している。この手すり１は、木製であり、例えばタモ材の集成材からなる。他にその他の木材、むく材でもよく、ステンレス製、チタン製、アルミ製、鉄製、その他の金属製、樹脂製、セラミック製、コンクリート製、またはこれらの複合体でもよい。この場合、中心にこれらのうち硬質の材料を用い、表面にこれらのうち軟質で摩擦係数の大きいまたは小さい材料を被覆してもよい。
【００１５】
この手すり１の棒体２は円柱状であり、外径（太さ）は例えば３４ｍｍであり、老人女性、老人男性、成人女性または成人男性がちょうど握るのに最適な太さとされる。棒体２が円筒状の場合は、内径は例えば２８ｍｍである。手すりの使用者が未成人・障害者ならばこれに応じて外形も変更される。この棒体２は、他に円筒状、角柱状、角筒状、板状などでもよい。
【００１６】
この棒体２は、正弦曲線形状（「余弦曲線形状」も含む。以下同じ）をなしており、この正弦波の半周期は棒体２の中心において例えば１４１．５ｍｍ（一周期２８３ｍｍ）であり、正弦波の振幅は棒体２の中心において例えば２６ｍｍである。この正弦波の曲率半径は棒体２の中心において例えば９３ｍｍ、棒体２の外側において例えば１１０ｍｍ、棒体２の内側において例えば７６ｍｍである。
【００１７】
この棒体２の正弦波形状の凹凸において、図１の上右方に突出している部分を山部３、下左方に突出している部分を谷部４という。山部３の左半分であって、手すり１を取り付けたときほぼ水平になる部分を水平山部３ａ、山部３の右半分であって、手すり１を取り付けたときほぼ水平にならず起立した部分を斜山部３ｂという。
【００１８】
谷部４の左半分であって、手すり１を取り付けたときほぼ水平にならず起立した部分を斜谷部４ａ、谷部４の右半分であって、手すり１を取り付けたときほぼ水平になる部分を水平谷部４ｂという。
【００１９】
この正弦波の山と谷との間、つまり山部３と谷部４との間、言い換えれば斜山部３ｂと斜谷部４ａとの間、及び水平山部３ａと水平谷部４ｂとの間には、山部３と谷部４とで湾曲の向きが変わる、ほぼ直線状の変曲部６が形成されている。
【００２０】
この変曲部６の長さは５０乃至１５０ｍｍ、例えば９３ｍｍまたは１３０ｍｍであり、手すり１の使用用途・使用状態によって、この変曲部６の長さは変更される。これにより、上記滑り難くする握りの長さを変えることができる。
【００２１】
この変曲部６に沿って変曲部６の接線方向または中心方向に変曲接線Ｔが考えられる。この変曲部６複数の変曲接線Ｔ複数において、隣り合う変曲接線Ｔの開き角度は９０度乃至１７０度、望ましくは１３０度乃至１７０度である。
【００２２】
この角度が大きいと、ほぼ水平にならない斜山部３ｂ及び斜谷部４ａの傾斜が垂直に近づくし、この角度が小さいと、ほぼ水平にならない斜山部３ｂ及び斜谷部４ａの傾斜が水平に近づく。手すり１の位置を老人・成人の腰から胸の辺りの高さにすると、隣り合う変曲接線Ｔの開き角度が１３０度以上の方が、手や上腕を手すり１に押し付けて身体を押し出すのが容易となるし、手すり１に手で掴まって身体を引き上げるのも容易となる。
【００２３】
手すり１全体は、取り付けられる階段、段差または傾斜面の傾斜角度に沿って平行に取り付けられ、水平方向に対して斜めに配置される。そして上記水平山部３ａ及び水平谷部４ｂ並びにこれらの間の変曲部６がほぼ水平方向になるように、上記角度及び変曲部６の長さ、手すり１の上記周期の長さ、上記正弦波の曲率半径が選択される。
【００２４】
この手すり１が取り付けられる階段Ｋまたは段差のステップＳの幅ＳＷは、例えば１００乃至１０００ｍｍ、１５０乃至５００ｍｍ、２００乃至３５０ｍｍ、２５０乃至３００ｍｍとなる。また、手すり１が取り付けられる階段Ｋまたは段差のステップＳの高さＳＨは、例えば５０乃至５００ｍｍ、１００乃至３００ｍｍ、１００乃至２５０ｍｍ、１５０乃至２００ｍｍとなる。
【００２５】
このような階段Ｋまたは段差のステップＳの幅ＳＷ高さＳＨが変化すると、階段Ｋまたは段差の傾斜角も変わるから、また階段Ｋまたは段差の各ステップＳと手すり１の各周期との相対位置／対応関係は一定で変化の無いようにされるから、手すり１の上記周期の長さ、上記正弦波の曲率半径、隣り合う変曲接線Ｔの開き角度、変曲部６の長さが変更される。
【００２６】
平均身長の老人女性、老人男性、成人女性または成人男性が手を伸ばしてひとつ先のステップの起立した斜山部３ｂ及び斜谷部４ａ並びにこれらの間の変曲部６を握るとき、これら手すり１の方向と、前腕または／及び上腕の方向、手と肩を結ぶ方向とは、ほぼ直交するように、上記角度及び変曲部６の長さは選択される。したがって、隣り合う変曲接線Ｔのいずれか一方がほぼ水平とされ、他の一方の変曲接線Ｔは起立状態とされる。
【００２７】
ゆえに、隣り合う変曲接線Ｔの開き角度及び変曲部６の長さは、本件手すり１を取り付ける階段、段差または傾斜面の傾斜角に応じて選択されるし、これら階段、段差または傾斜面から手すり１までの高さに応じても選択される。図２に示すように、階段、段差または傾斜面から手すり１までの高さが変化すると、斜山部３ｂ及び斜谷部４ａ並びにこれらの間の変曲部６と、前腕または／及び上腕となす角度が変化するからである。
【００２８】
この結果、図２に示すように、階段、段差または傾斜面から手すり１までの高さが高くなると、斜山部３ｂ及び斜谷部４ａ並びにこれらの間の変曲部６並びにこの変曲接線Ｔの傾斜角は垂直に近づいて起立する。また、階段、段差または傾斜面から手すり１までの高さが低くなると、斜山部３ｂ及び斜谷部４ａ並びにこれらの間の変曲部６並びにこの変曲接線Ｔの傾斜角は水平に近づいて傾斜する。
【００２９】
この棒体２の正弦波の長さ、つまり周期の数は、ほぼ複数周期である。取り付けられる階段、段差のステップ数１つに対して半周期の割合で、手すり１の周期が決定される。上記の寸法は、手すり１が取り付けられる階段または段差のステップの幅と高さとの寸法に応じて変化する。
【００３０】
（２）手すり１の取り付け状態
図３は手すり１の取り付け状態を示す。階段Ｋは複数のステップＳからなっている。このステップＳの上面の幅ＳＷとステップＳの高さＳＨとの寸法に応じて、階段Ｋの傾斜角度が決定される。
【００３１】
この階段Ｋの両側方には、複数の支柱５１…が所定間隔ごとまたは一定間隔ごとに固定立設されている。この支柱５１…は、階段Ｋの各ステップＳの上面中央などに、全てのステップＳにひとつずつまたは複数ずつ、若しくはステップＳひとつ置きまたは複数置きに、穿設され穴に差し込むなどで設けられている。
【００３２】
この支柱５１…の高さは全て同じで、この支柱５１…の上には、ほぼ直線状の既設の一本の既設手すり５２が溶接またはボルト留めされている。この既設手すり５２の上には、所定間隔ごとまたは一定間隔ごとに、付加支柱８…が、溶接またはボルト留めで、固定立設されている。
【００３３】
この付加支柱８…の間隔は、全てのステップＳにひとつずつまたは複数ずつ、若しくはステップＳひとつ置きまたは複数置きに設けられる。この付加支柱８…の上には、上記手すり１が溶接またはボルト留めで、固定されている。
【００３４】
この固定は、水平山部３ａ及び水平谷部４ｂ並びにこれらの間の変曲部６のあたりで行なわれ、斜山部３ｂ及び斜谷部４ａ並びにこれらの間の変曲部６のあたりでは行なわれない。これにより、手を伸ばしてひとつ先のステップＳの起立した斜山部３ｂ及び斜谷部４ａ並びにこれらの間の変曲部６を握るとき、付加支柱８…が邪魔にならず、円滑に握ることができる。
【００３５】
上記手すり１の水平山部３ａ及び水平谷部４ｂ並びにこれらの間の変曲部６は、階段ＫのステップＳの平坦部分のほぼ真上またはほぼ真上から階段Ｋの傾斜に沿って若干前上寄りに位置する。
【００３６】
これにより、手すり１を握って身体を押し上げるとき、水平山部３ａ及び水平谷部４ｂ並びにこれらの間の変曲部６を手で握って身体を押し上げたり、水平山部３ａ及び水平谷部４ｂ並びにこれらの間の変曲部６に前腕を乗せて身体を押し上げたりするのが容易となる。
【００３７】
上記構成によって、上記斜めの手すり１の半周期の水平方向の長さは、上記階段ＫのステップＳの幅ＳＷのほぼ半分に等しくなる。さらに、上記斜めの手すり１の半周期の高さは、階段ＫのステップＳの高さＳＨのほぼ半分に等しくなる。
【００３８】
これにより、階段ＫのどのステップＳにおいても、ひとつ先のステップＳの起立した斜山部３ｂ及び斜谷部４ａ並びにこれらの間の変曲部６を握るまでの距離・方向・位置が均一となり、また水平山部３ａ及び水平谷部４ｂ並びにこれらの間の変曲部６を押し出す位置・方向・距離が均一となる。したがって、階段Ｓを上るのが容易となる。
【００３９】
上記直線状の既設手すり５２と湾曲した手すり１とは平行になる。既設手すり５２及び手すり１の、水平方向に対する傾斜は、０度乃至９０度、１０度乃至６０度、２０度乃至５０度、３０度乃至４５度、３５度乃至４２．５度、または４０度前後となる。
【００４０】
０度は水平な平坦な箇所の手すり５２、１であり、９０度は垂直の起立した梯子のような箇所となる。通常は、４０度前後の傾斜となる。場所や状況によって、これらの傾斜角は、１０度乃至６０度、２０度乃至５０度、３０度乃至４５度、３５度乃至４２．５度と変化する。
【００４１】
このような直線状の既設手すり５２及び湾曲した手すり１は、階段Ｋのほか、段差や、段差のない傾斜面でも、設けられる。また、湾曲した手すり１は、直線状の既設手すり５２の上側のほか、外側、内側、下側に対して取り付けられても良い。さらに、階段Ｋの側面に壁があれば、この壁に、上記付加支柱８…を介して手すり１が取り付けられてもよい。
【００４２】
本件手すり１によれば、既存の手すり５２を撤去しなくても、既存の手すり５２を有効に活用でき、また既存の手すり５２が文化財など撤去できないときに有効となる。
【００４３】
（３）半周期の手すり１１（第二実施例）
図４及び図５は手すりの第二実施例であって、ほぼ半周期の長さの手すり１１を示す。この半周期の手すり１１は、上記図１乃至図３の山部３、つまり水平山部３ａ及び斜山部３ｂの部分からなっている。
【００４４】
この半周期の手すり１１の両端は互いに接近するように内側に湾曲している。これにより、手すり１１の両端と既設手すり５２となす角度が大きくなって、手などを挟むことがなくなる。この手すり１１の両端には、場合によって両端または片端に変曲部６が加わる。
【００４５】
この半周期の手すり１１の両端には雌ねじ部１２、１２が形成されている。この雌ねじ部１２、１２は、手すり１１の両端に対して、互いに近づいて平行となるように折曲されている。この雌ねじ部１２、１２は、直線状の既設手すり５２に開けられた穴１３、１３内に入れられ、反対側から雄ねじ１４、１４が螺合されて固定される。この半周期の手すり１１の両端の固定は溶接などによってもよい。
【００４６】
上記穴１３…全ては、直線状の既設手すり５２に対して、等間隔に設けられている。したがって、半周期の長さの手すり１１それぞれは、手すり１１の谷部４、つまり斜谷部４ａ及び水平谷部４ｂがなくても、ちょうどこれらがあるかのように、半周期の手すり１１が、周期的に配置される。
【００４７】
このような半周期の手すり１１でも、上記図１乃至図３の手すり１と同様の上りやすい作用・効果を奏する。しかも、手すり１１は手すり１に比べて、材料がほぼ半分で済む。さらに新たな手すり１１の位置は既設手すり５２のほぼ同じ高さにすることができる。他の構成・作用・効果は上記図１乃至図３の手すり１と同じであり、他の構成・作用・効果はここにも記載されているものとする。
【００４８】
（４）半周期の手すり２１（第三実施例）
図６及び図７は手すりの第三実施例であって、ほぼ半周期の長さの半周期の手すり２１を示す。この半周期の手すり２１の両端の先端は、互いに近づくように曲がっていて、ほぼ平行となっている。
【００４９】
この半周期の手すり２１の両端には雌ねじ部２２、２２が形成されている。この雌ねじ部２２、２２は、垂直方向に設置された直線状の既設手すり５３に開けられた穴２３、２３内に入れられ、反対側から雄ねじ２４、２４が螺合されて固定される。この半周期の手すり２１の両端の固定は溶接などによってもよい。
【００５０】
このような縦に湾曲した手すり２１であれば、どのような身長の人でも、前腕または／及び上腕または手首と肩を結ぶ方向と、握られた箇所における手すり２１の方向とがほぼ直交させることができ、手すり２１をしっかりと握ることができる。
【００５１】
また、握る人が立ったり座ったり中腰だったり、どのような高さの姿勢でも、前腕または／及び上腕または手首と肩を結ぶ方向と、握られた箇所における手すり２１の方向とがほぼ直交させることができ、手すり２１をしっかりと握ることができる。
【００５２】
このような手すり２１は直線状の既設手すり５３に複数取り付けられても良い。手すり２１が取り付けられる直線状の既設手すり５３の向きは垂直のほか、水平、斜め、どのような向きでもよい。手すり２１の湾曲形状は正弦波のほか、半円状、円弧状でもよい。
【００５３】
このような半周期の手すり２１でも、上記図４乃至図５の手すり１１、ひいては上記図１乃至図３の手すり１と同様の上りやすい作用・効果を奏する。他の構成・作用・効果は上記図４乃至図５の手すり１１、図１乃至図３の手すり１と同じであり、他の構成・作用・効果はここにも記載されているものとする。
【００５４】
（５）他の実施の形態
本発明は、上記実施例に限定されず、種々変更可能である。例えば、図６及び図７の半周期の手すり２１の両端には線対称形の手すりが連結されて、環状、円形状とされ、既存の手すり５３の両側に手すり２１、２１が突出していても良い。
【００５５】
上記第一実施例、第二実施例、第三実施例のいずれか２つ以上を組み合わせて、既存の手すり５２、５３に、全て取り付けられても良い。これにより、第一実施例、第二実施例、第三実施例の特有の作用・効果を複合的に発揮できる。
【００５６】
また、第一実施例、第二実施例、第三実施例は、それぞれが複数列ずつ、既存の手すり５２、５３に取り付けられてもよい。この場合、第一実施例の手すり１は、上下または左右に２つ以上平行して取り付けられる。これにより、身長の異なるいずれの人でも、複数の手すり１、１１、２１のうち、自分の身長にあった手すりを選択できる。
【００５７】
既存の手すり５２、５３は、既に家屋、建物、屋外の階段などの施設に設けられているものであるが、全く手すりの無い施設に、このような手すり５２、５３とともに、本件手すり１、１１、２１も取り付けられてもよい。
【００５８】
さらに、上記手すり１、１１、２１の側面に沿って溝が形成され、この溝内にゴム紐、樹脂紐などが埋め込まれ、滑り止めとされても良い。また、上記手すり１、１１、２１の表面の全体または一部に微小突起が多数設けられても良い。
【００５９】
このような微小突起は、滑り止めとなるし、マッサージ効果の向上ともなる。このような微小突起は、棒体２と同じ素材でもよいし、異なる素材が固着されてもよい。このような微小突起は、アルミ、チタン、ゲルマニウム、ステンレス、強化樹脂、強化ゴム、木材などからなる。
【００６０】
湾曲形状は、円弧状、楕円弧状など、ほぼ正弦波状であれば、正弦波以外でもよい。また、正弦波の振幅、周期、曲率半径、変曲部７の長さ／大きさ、周期(波)の数といった、正弦波(余弦波)の各要素の寸法は任意に変更可能である。
【００６１】
上記手すり１、１１、２１の全体素材または表面部分の素材は、紫鉱石、蛍光素材、反射塗料などからなっていてもよい。これにより、夜間などでも目につき、事故が防げる。
【００６２】
また、上記水平山部３ａ、斜山部３ｂ、斜谷部４ａ、水平谷部４ｂのうちいずれか１つまたは２つ、３つが省略され、残りの正弦波形状で棒体２が形成されてもよい。さらに、山部３、谷部４のいずれか一方が省略され、片方だけで棒体２が形成されてもよい。またさらに、変曲部６も一部または全部省略されてもよい。
【００６３】
（６）他の発明の効果
[１]ほぼ半周期以上の長さのほぼ正弦曲線形状またはほぼ余弦曲線形状をなす棒体と、  この棒体の正弦曲線形状または余弦曲線形の山部と谷部の間の変曲部であって、  この変曲部複数の変曲接線複数につき、隣り合う変曲接線の開き角度は９０度乃至１７０度、望ましくは１３０度乃至１７０度であり、  この隣り合う変曲接線のいずれか一方がほぼ水平とされ、手すり全体が水平方向に対して斜めに配置されることを特徴とする手すり。
【００６４】
[２]上記斜めの手すりの半周期の水平方向の長さは、階段または段差のステップの幅のほぼ半分に等しく、  上記斜めの手すりの半周期の高さは、階段または段差のステップの高さのほぼ半分に等しいことを特徴とする請求項１記載の手すり。これにより、段差または階段の各ステップから、手すりのほぼ水平の各変曲部への間隔は、一定となり、また段差または階段の各ステップから、手すりのほぼ水平の変曲部の別の各変曲部への間隔も、一定となる。
【００６５】
したがって、手や上腕を手すりに押し付けて身体を押し出す力は、手すりのいずれの箇所でも一定となるし、手で掴まって身体を引き上げる力は、手すりのいずれの箇所でも一定となり、段差または階段を一定の力で上ることができる。
【００６６】
[３]上記手すりのほぼ水平部分の変曲部は、段差または階段のステップの平坦部分のほぼ真上またはほぼ真上から段差または階段の傾斜に沿って若干前上寄りに位置することを特徴とする請求項１または２記載の手すり。これにより、手や上腕を手すりに押し付けて身体を押し出す力が、身体の中央下方から後下方にかけて移動し、身体を押し出す力に無駄がなくなり、階段、段差、傾斜面をより円滑に上ることができる。
【００６７】
[４]上記手すりは、複数周期にわたる長さを有し、  階段、段差または傾斜面に沿って設けられている、ほぼ直線状の既設の手すりの上、側、下に対して取り付けられ、  この直線状の既設の手すりの、または本件手すりの、水平方向に対する傾斜は、０度乃至９０度、１０度乃至６０度、２０度乃至５０度、３０度乃至４５度、３５度乃至４２．５度、または４０度前後であることを特徴とする請求項１、２または３記載の手すり。これにより、既存の手すりを撤去しなくても、既存の手すりを有効に活用でき、また既存の手すりが文化財など撤去できないときに有効となる。
【００６８】
[５]上記手すりは、上記山部または上記谷部をほぼ中心として、ほぼ半周期にわたる長さを有し、  階段、段差または傾斜面に沿って設けられている、ほぼ直線状の既設の手すりの上、側、下に対して、間隔を置いて、複数取り付けられ、  この直線状の既設の手すりの水平方向に対する傾斜は、０度乃至９０度、１０度乃至６０度、２０度乃至５０度、３０度乃至４５度、３５度乃至４２．５度、または４０度前後であることを特徴とする請求項１、２、３または４記載の手すり。これにより、既存の手すりを撤去しなくても、既存の手すりを有効に活用でき、また既存の手すりが文化財など撤去できないときに有効となる。また、本件新たな手すりは既存の手すりとほぼ同じ高さにできる。
【００６９】
[６]上記手すりは、上記山部または上記谷部をほぼ中心として、ほぼ半周期にわたる長さを有し、  この手すりの両端の先端は、互いに近づくように曲がっていることを特徴とする請求項１、２、３、４または５記載の手すり。これにより、本件手すりの両端の先端が既存の手すりに直角に入り、本件手すりが既存の手すりに強固に固定される。
【００７０】
[７]上記階段、段差または傾斜面から上記手すりまでの高さが高くなると、ほぼ水平方向にならない変曲接線の傾斜角は垂直に近づいて起立し、上記階段、段差または傾斜面から上記手すりまでの高さが低くなると、ほぼ水平方向にならない変曲接線の傾斜角は水平に近づいて傾斜することを特徴とする請求項１、２、３、４、５または６記載の手すり。これにより、手すりの高さが変化しても、身体を引き上げたり、身体を押し上げたりするのに、最適に力がはいる状態を維持でき、階段、段差、傾斜面を円滑に上ることを維持できる。
【産業上の利用可能性】
【００７１】
正弦波状に湾曲した手すりの隣り合う変曲接線の開き角度が１３０度乃至１７０度とされて、手や上腕を手すりに押し付けて身体を押し出すのが容易となるし、手すりを手で掴まえて身体を引き上げるのも容易となる。
【００７２】
ひとつ先のステップの起立した斜山部３ｂ及び斜谷部４ａ並びにこれらの間の変曲部６を握るとき、これら手すり１の方向と、前腕または／及び上腕の方向、手と肩を結ぶ方向とは、ほぼ直交するようになり、手すりを手で掴まえて身体を引き上げるのが容易となる。手すり１を握って身体を押し上げるとき、ほぼ水平な水平山部３ａ及び水平谷部４ｂ並びにこれらの間の変曲部６を手で握って身体を押し上げたり、水平山部３ａ及び水平谷部４ｂ並びにこれらの間の変曲部６に前腕を乗せて身体を押し上げたりするのが容易となる。
【図面の簡単な説明】
【００７３】
【図１】手すり１の側面を示す。
【図２】手すり１の側面を示す。
【図３】手すり１の取り付け状態を示す。
【図４】手すりの第二実施例であって、ほぼ半周期の長さの手すり１１を示す。
【図５】手すりの第二実施例であって、ほぼ半周期の長さの手すり１１を示す。
【図６】手すりの第三実施例であって、ほぼ半周期の長さの半周期の手すり２１を示す。
【図７】手すりの第三実施例であって、ほぼ半周期の長さの半周期の手すり２１を示す。
【符号の説明】
【００７４】
１…手すり、２…棒体、
３…山部、３ａ…水平山部、３ｂ…斜山部、
４…谷部、４ａ…斜谷部、４ｂ…水平谷部、
６…変曲部、８…付加支柱、
１１…手すり、１２…雌ねじ部、
１３…穴、１４…雄ねじ、
２１…手すり、２２…雌ねじ部、
２３…穴、２４…雄ねじ、
５１…支柱、５２…既設手すり、５３…既存手すり、
Ｓ…段差のステップ、ＳＷ…幅、
ＳＨ…高さ、Ｋ…階段、Ｔ…変曲接線。
【図１】
2008231845.tif 000003
【図２】
2008231845.tif 000004
【図３】
2008231845.tif 000005
【図４】
2008231845.tif 000006
【図５】
2008231845.tif 000007
【図６】
2008231845.tif 000008
【図７】
2008231845.tif 000009